(57)【要約】【課題】暖房運転時の熱媒の温度のアンダーシュートを抑制した暖房システムを提供する。【解決手段】暖房端末４と、暖房端末４に熱媒を循環させる循環回路２３と、循環回路２３を循環する熱媒を加熱するヒートポンプ式熱源機２と、循環回路２３を循環する熱媒を加熱する貯湯式燃焼熱源機３と、を備え、熱媒を用いて暖房端末４による暖房運転を行うものであって、貯湯式燃焼熱源機３は、内部に熱媒を貯留する貯留缶体１９と、貯留缶体１９内の熱媒を加熱する燃焼器１５とを備え、貯湯式燃焼熱源機３を、循環回路２３を循環する熱媒の流れに対し、ヒートポンプ式熱源機２の下流側に配設するものとした。【選択図】図１
2020134089.tif 000002
【特許請求の範囲】
【請求項１】
暖房端末と、
前記暖房端末に熱媒を循環させる循環回路と、
前記循環回路を循環する前記熱媒を加熱するヒートポンプ式熱源機と、
前記循環回路を循環する前記熱媒を加熱する貯湯式燃焼熱源機と、を備え、
前記熱媒を用いて前記暖房端末による暖房運転を行うものであって、
前記貯湯式燃焼熱源機は、内部に前記熱媒を貯留する貯留缶体と、前記貯留缶体内の前記熱媒を加熱する燃焼器とを備え、
前記貯湯式燃焼熱源機を、前記循環回路を循環する熱媒の流れに対し、前記ヒートポンプ式熱源機の下流側に配設したことを特徴とする暖房システム。
【発明の詳細な説明】
【技術分野】
【０００１】
本発明は、複数の熱源を用いた暖房システムに関するものである。
【背景技術】
【０００２】
従来この種のものでは、循環回路を循環する熱媒を加熱するヒートポンプ式熱源機と、燃焼熱源機とを備え、ヒートポンプ式熱源機または燃焼熱源機で加熱された熱媒を用いて暖房端末による暖房運転を行うものがあった。（例えば、特許文献１参照。）
【先行技術文献】
【特許文献】
【０００３】
【特許文献１】特開２０１８−８４３６２号公報
【発明の概要】
【発明が解決しようとする課題】
【０００４】
ところで、この従来のものは、燃焼熱源機がフィンチューブ式熱交換器を有する瞬間式の燃焼熱源機であり、前記フィンチューブ式熱交換器の保有水量は少なく、保有熱量も小さい。
【０００５】
ここで、ヒートポンプ式熱源機が単独で作動し熱媒を加熱して暖房運転を行っているとき、暖房端末の運転台数が増えた等により暖房負荷が増加すると、暖房端末からヒートポンプ式熱源機に戻る熱媒の温度が低下し、それに伴って、ヒートポンプ式熱源機から送出される熱媒の温度も低下する。ヒートポンプ式熱源機から送出された熱媒は瞬間式の燃焼熱源機に流入するが、フィンチューブ式熱交換器の保有熱量は少なく、ただ単に通過するだけとなり、熱媒の温度低下をほとんど抑制できず、暖房端末に供給される熱媒の温度が目標温度からアンダーシュートしてしまう。
【０００６】
そうすると、暖房端末に供給する熱媒の温度が目標温度に上昇するまで時間がかかり、使用感が損なわれてしまうという問題点があり、また、アンダーシュートの度合いが大きい場合、ヒートポンプ式熱源機のみならず瞬間式の燃焼熱源機も作動させて、熱媒の温度を目標温度まで上昇させようとするため、双方の熱源機を作動させることでランニングコストの増大を招くものであった。
【課題を解決するための手段】
【０００７】
本発明は上記課題を解決するために、請求項１では、暖房端末と、前記暖房端末に熱媒を循環させる循環回路と、前記循環回路を循環する前記熱媒を加熱するヒートポンプ式熱源機と、前記循環回路を循環する前記熱媒を加熱する貯湯式燃焼熱源機と、を備え、前記熱媒を用いて前記暖房端末による暖房運転を行うものであって、前記貯湯式燃焼熱源機は、内部に前記熱媒を貯留する貯留缶体と、前記貯留缶体内の前記熱媒を加熱する燃焼器とを備え、前記貯湯式燃焼熱源機を、前記循環回路を循環する熱媒の流れに対し、前記ヒートポンプ式熱源機の下流側に配設するものとした。
【発明の効果】
【０００８】
この発明の請求項１によれば、ヒートポンプ式熱源機と貯湯式燃焼熱源機とを備え、熱媒を用いて暖房端末による暖房運転を行うものであって、貯湯式燃焼熱源機を、循環回路を循環する熱媒の流れに対し、ヒートポンプ式熱源機の下流側に配設するようにしたことで、ヒートポンプ式熱源機のみを作動させての暖房運転が行われているときに、暖房端末の運転台数が増加する等、急な暖房負荷の増加があっても、それまでヒートポンプ式熱源機で加熱された熱媒が貯湯式燃焼熱源機の貯留缶体に貯留されているため、暖房負荷の増加に起因して発生する低温の熱媒が貯留缶体に流入しても、貯留缶体内で撹拌されて熱媒の温度低下が抑えられ、暖房端末に供給される熱媒の温度のアンダーシュートを抑制でき、使用感を損ねずに快適な暖房が行えると共に、ランニングコストの増大を招くこともないものである。
【図面の簡単な説明】
【０００９】
【図１】本発明の一実施形態の暖房システムの概略構成図。
【図２】暖房運転中に暖房負荷が増加した場合における熱媒の温度の経時推移を説明するタイムチャート。
【図３】暖房運転中に優先作動させる熱源機の切り換えが行われた場合における熱媒の温度の経時推移を説明するタイムチャート。
【発明を実施するための形態】
【００１０】
次に、この発明の一実施形態の暖房システム１の構成について、図面に基づき説明する。図１に示すように、暖房システム１は主として、ヒートポンプ式熱源機２と、貯湯式燃焼熱源機３と、暖房端末４とを備えている。暖房システム１は、少なくともヒートポンプ式熱源機２または貯湯式燃焼熱源機３の何れか一方で加熱された熱媒（例えば、水または不凍液等の循環液）を用いて、暖房端末４にて熱媒から放熱することで、暖房端末４が設置された被空調空間を暖める暖房運転を行う。
【００１１】
前記ヒートポンプ式熱源機２は熱媒を加熱するための熱源機で、その筐体内に、冷媒を圧縮する回転数可変の圧縮機５、流路切換手段としての四方弁６、冷媒と熱媒との熱交換を行う負荷側熱交換器としての液冷媒熱交換器７、減圧器としての膨張弁８、室外ファン９の作動により送られる空気（外気）との熱交換を行う熱源側熱交換器としての空気熱交換器１０とを有し、それらを冷媒配管１１で環状に接続して冷媒が循環するヒートポンプ回路１２を形成しているものである。なお、１３は外気温度を検出する外気温度センサである。
【００１２】
また、前記液冷媒熱交換器７は、例えば、プレート式熱交換器で構成され、プレート式熱交換器は、複数の伝熱プレートが積層され、冷媒を流通させる冷媒流路と熱媒を流通させる熱媒流路とが各伝熱プレートを境にして交互に形成されている。上記のヒートポンプ回路１２を循環する冷媒としては、ＨＦＣ冷媒や二酸化炭素冷媒等の任意の冷媒を用いることができるものである。
【００１３】
前記冷媒配管１１に設けられた四方弁６は、ヒートポンプ回路１２における冷媒の流れ方向を切り換える機能を有し、圧縮機５から吐出された冷媒を、液冷媒熱交換器７、膨張弁８、空気熱交換器１０の順に流通させ、圧縮機５に戻す流路を形成する状態（暖房運転時の状態）と、圧縮機５から吐出された冷媒を、空気熱交換器１０、膨張弁８、液冷媒熱交換器７の順に流通させ、圧縮機５に戻す流路を形成する状態（除霜運転時の状態）とに切換可能なものである。
【００１４】
前記貯湯式燃焼熱源機３は、熱媒を加熱するための熱源機で、その筐体内には、送風ファン１４からの燃焼用空気の供給を受けて燃料（ガス、灯油等）を燃焼させる燃焼器としてのバーナ１５と、バーナ１５の燃焼により発生した燃焼ガスから熱回収し前記熱媒を加熱する貯湯式熱交換器１６と、貯湯式熱交換器１６上方に隣接され貯湯式熱交換器１６を通過した後の燃焼ガスを集合させる排気室１７と、排気室１７を通過した後の燃焼ガスを機外に排出する排気筒１８とを有しているものである。
【００１５】
前記貯湯式熱交換器１６は、内部に一定量（４Ｌ〜１０Ｌ）の熱媒を貯留する円筒状で小容量の貯留缶体１９と、貯留缶体１９下部内側に形成されバーナ１５の燃焼が行われる燃焼室２０と、燃焼室２０と排気室１７とを連通しバーナ１５の燃焼により発生した燃焼ガスを通過させる複数本の煙管２１とで構成されているものである。なお、２２は貯留缶体１９内の熱媒の温度を検出する第１温度検出手段としての第１熱媒温度センサである。なお、第１熱媒温度センサ２２は、直接、貯留缶体１９に設置されたものでなくても、貯留缶体１９から流出し暖房端末４に流入する熱媒の温度を検出するものであってもよい。
【００１６】
２３は暖房端末４に熱媒を循環させる循環回路で、循環回路２３は、暖房端末４から流出した熱媒をヒートポンプ式熱源機２の液冷媒熱交換器７の熱媒流路に導く第１熱媒配管２４と、ヒートポンプ式熱源機２の液冷媒熱交換器７から流出した熱媒を貯湯式燃焼熱源機３の貯湯式熱交換器１６（貯留缶体１９）に導く第２熱媒配管２５と、貯湯式燃焼熱源機３の貯湯式熱交換器１６（貯留缶体１９）から流出した熱媒を暖房端末４に導く第３熱媒配管２６とを有し、循環回路２３は、ヒートポンプ式熱源機２と貯湯式燃焼熱源機３と暖房端末４とを、第１熱媒配管２４、第２熱媒配管２５、第３熱媒配管２６で接続し、熱媒が循環するように形成されるものである。貯湯式燃焼熱源機３は、循環回路２３を循環する熱媒の流れに対して、ヒートポンプ式熱源機２の下流側に配設されている。
【００１７】
前記第１熱媒配管２４には、循環回路２３内の熱媒を循環させる循環ポンプ２７が設けられると共に、熱媒を溜め循環回路２３の圧力を調整するヒーポン側シスターン２８が設けられている。
【００１８】
前記第２熱媒配管２５には、ヒートポンプ式熱源機２の液冷媒熱交換器７から流出し貯湯式燃焼熱源機３の貯湯式熱交換器１６に流入する熱媒の温度を検出する第２温度検出手段としての第２熱媒温度センサ２９が設けられている。
【００１９】
前記第３熱媒配管２６には、熱媒を溜め循環回路２３の圧力を調整する燃焼側シスターン３０が設けられている。
【００２０】
また、暖房端末４毎に分岐した第３熱媒配管２６の各々には、その開閉により暖房端末４への熱媒の供給を制御する熱動弁３１がそれぞれ設けられ、熱動弁３１は、暖房端末４が設置された被空調空間（室内）の温度が所定の温度になるように開閉が制御されるものである。暖房端末４は、床暖房パネルやラジエータ等、任意の端末を用いることができ、図１では２つ設けられているが、１つであってもよく、３つ以上であってもよく、数量や仕様が特に限定されるものではない。
【００２１】
３２は暖房システム１の操作指示を行うリモコンで、リモコン３２には、暖房端末４による暖房運転の開始または停止を指示する運転スイッチ、循環回路２３を循環させる熱媒の目標温度を設定する温度設定スイッチ、表示部等が備えられているものである。
【００２２】
３３は各種のデータやプログラムを記憶する記憶手段（ＲＯＭ、不揮発性メモリ等）と、演算・制御処理を行う制御手段とを備え、ヒートポンプ式熱源機２の動作を制御するヒーポン側制御装置であり、ヒーポン側制御装置３３は、リモコン３２の信号や、外気温度センサ１３、第２熱媒温度センサ２９からの信号をうけ、圧縮機５や循環ポンプ２７等のアクチュエータの動作を制御すると共に、後述する貯湯式燃焼熱源機３の燃焼側制御装置３４と通信可能に接続され、燃焼側制御装置３４との間で動作指示等の信号のやりとりをすることができる。
【００２３】
３４は各種のデータやプログラムを記憶する記憶手段（ＲＯＭ、不揮発性メモリ等）と、演算・制御処理を行う制御手段とを備え、貯湯式燃焼熱源機３の動作を制御する燃焼側制御装置であり、燃焼側制御装置３４は、第１熱媒温度センサ２２からの信号をうけ、送風ファン１４、バーナ１５の動作を制御すると共に、ヒーポン側制御装置３３と通信可能に接続されているものである。
【００２４】
次に、この一実施形態の暖房システム１における暖房運転時の動作について説明する。暖房端末４に供給される高温の熱媒を生成する暖房運転は、ヒートポンプ式熱源機２または貯湯式燃焼熱源機３の何れか一方を単独で作動させて行う場合と、ヒートポンプ式熱源機２および貯湯式燃焼熱源機３の双方を作動させて行う場合がある。
【００２５】
まず、ヒートポンプ式熱源機２のみを作動させて暖房運転を行う場合について説明すると、リモコン３２から暖房端末４による被空調空間としての室内の加熱の指示がなされ、ヒートポンプ式熱源機２が作動する場合、ヒーポン側制御装置３３は、四方弁６を暖房運転時の状態となるように流路を切り換え、圧縮機５、膨張弁８、室外ファン９、および循環ポンプ２７を駆動させて暖房運転を開始させる。この時、暖房運転が行われる暖房端末４に対応する熱動弁３１も開弁される。
【００２６】
前記暖房運転中、ヒートポンプ回路１２では、圧縮機５で圧縮された高温・高圧のガス状の冷媒が圧縮機５から吐出され、冷媒は凝縮器として機能する液冷媒熱交換器７にて、循環回路２３を流れる熱媒と熱交換を行って熱媒に熱を放出して加熱しながら気液混合状態で高圧の冷媒に変化する。そして、この状態の冷媒が膨張弁８において減圧されて低圧の冷媒となって蒸発しやすい状態となり、蒸発器として機能する空気熱交換器１０において、室外ファン９の作動により送られる外気と熱交換を行って外気から吸熱して低温・低圧のガス状の冷媒となって、再び圧縮機５へ戻るものである。
【００２７】
前記循環回路２３では、一定回転数で駆動される循環ポンプ２７の駆動により液冷媒熱交換器７に流入した低温の熱媒は、凝縮器として機能する液冷媒熱交換器７において冷媒と熱交換されて加熱された後、貯湯式燃焼熱源機３の貯湯式熱交換器１６では加熱されることなく通過し、その後、暖房端末４に供給されて室内の暖房に用いられ、暖房端末４を流通するときに放熱されて温度低下した熱媒は再び液冷媒熱交換器７へと戻るものである。このとき、貯湯式燃焼熱源機３の貯湯式熱交換器１６（貯留缶体１９）には、ヒートポンプ式熱源機２で加熱された熱媒が貯留され、貯湯式熱交換器１６（貯留缶体１９）内の熱媒の温度はヒートポンプ式熱源機２が作動しているかぎり、目標温度と略同温度に保たれる。
【００２８】
なお、前記暖房運転中、ヒーポン側制御装置３３は、第２熱媒温度センサ２９の検出値に応じて、圧縮機５の回転数を制御する。ここでは、第２熱媒温度センサ２９により検出される熱媒の温度が、例えばユーザによりリモコン３２で設定された設定温度に基づいて決定される目標温度になるように、圧縮機５の回転数を制御する。
【００２９】
また、ヒーポン側制御装置３３は、圧縮機５から吐出される冷媒の吐出温度に応じて、膨張弁８の弁開度を制御する。ここでは、圧縮機５から吐出される冷媒の吐出温度が、例えば、リモコン３２の設定温度に対応した制御上の目標冷媒吐出温度となるように、膨張弁８の弁開度を制御する。
【００３０】
さらに、ヒーポン側制御装置３３は、外気温度センサ１３により検出された外気温度に応じて、室外ファン９の回転数を制御する。
【００３１】
続いて、貯湯式燃焼熱源機３のみを作動させて暖房運転を行う場合について説明すると、リモコン３２から暖房端末４による被空調空間としての室内の加熱の指示がなされ、ヒーポン側制御装置３３を介して、燃焼側制御装置３４がその指示を受け、貯湯式燃焼熱源機３が作動する場合、燃焼側制御装置３４は、送風ファン１４および燃料ポンプ（図示せず）を駆動させ、バーナ１５での燃焼を行わせると共に、循環ポンプ２７を駆動させ、暖房運転を開始させる。この時、暖房運転が行われる暖房端末４に対応する熱動弁３１も開弁される。
【００３２】
前記暖房運転中、燃焼側制御装置３４は、第１熱媒温度センサ２２の検出する貯留缶体１９内の熱媒の温度がリモコン３２で設定された設定温度に基づいて決定される目標温度になるように、バーナ１５の燃焼の実行または停止、燃焼量の調整により制御するものであり、暖房運転開始時は、熱媒の温度が目標温度に素早く上昇するように、バーナ１５の燃焼量を予め設定された上限燃焼量にし、その後、熱媒の温度が目標温度に近づいていくにつれてバーナ１５の燃焼量を徐々に下げていき、熱媒の温度を目標温度に維持するのが可能であれば予め設定された下限燃焼量まで燃焼量を下げて燃焼を行い、熱媒の温度が目標温度より所定温度高い燃焼オフ温度に達したら、バーナ１５の燃焼を停止し、熱媒の温度が目標温度または目標温度より所定温度低い燃焼オン温度に達したら、バーナ１５の燃焼を再開させ、貯留缶体１９内の熱媒の温度を目標温度に近づけるべく燃焼量を適宜制御するものである。
【００３３】
前記循環回路２３では、一定回転数で駆動される循環ポンプ２７の駆動により暖房端末４を流出した低温の熱媒は、ヒートポンプ式熱源機２の液冷媒熱交換器７では加熱されることなく通過し、貯湯式燃焼熱源機３の貯湯式熱交換器１６において燃焼ガスと熱交換されて加熱された後、暖房端末４に供給されて室内の暖房に用いられ、暖房端末４を流通するときに放熱されて温度低下した熱媒は、再び液冷媒熱交換器７では加熱されることなく通過して貯湯式熱交換器１６へと戻るものである。
【００３４】
続いて、暖房負荷が大きく、ヒートポンプ式熱源機２または貯湯式燃焼熱源機３の何れか一方を作動では出力が足りず、ヒートポンプ式熱源機２および貯湯式燃焼熱源機３の双方を作動させて暖房運転を行う場合について説明すると、ヒートポンプ式熱源機２および貯湯式燃焼熱源機３の双方を作動させて暖房運転を行う場合は、貯湯式燃焼熱源機３の第１熱媒温度センサ２２により検出される熱媒の温度が、リモコン３２で設定された設定温度に基づいて決定される目標温度になるように、ヒーポン側制御装置３３と燃焼側制御装置３４とが必要に応じて互いに連係しつつ、圧縮機５の回転数を制御すると共にバーナ１５の制御を行うものである。
【００３５】
前記循環回路２３では、一定回転数で駆動される循環ポンプ２７の駆動により液冷媒熱交換器７に流入した低温の熱媒は、液冷媒熱交換器７において冷媒と熱交換されて加熱された後、貯湯式燃焼熱源機３の貯湯式熱交換器１６において燃焼ガスと熱交換されてさらに加熱され、加熱された熱媒は、その後、暖房端末４に供給されて室内の暖房に用いられ、暖房端末４を流通するときに放熱されて温度低下した熱媒は再び液冷媒熱交換器７へと戻るものである。
【００３６】
ここで、ヒートポンプ式熱源機２または貯湯式燃焼熱源機３の何れか一方を作動させて行う暖房運転について、どちらの熱源機を優先して作動させるかを決定するための判定は、外気温度と熱源機を作動させるためのコスト（ヒートポンプ式熱源機２であれば電気代、貯湯式燃焼熱源機３であれば燃料代）とに基づいて行われる。具体的には、ヒートポンプ式熱源機２、貯湯式燃焼熱源機３それぞれの稼働コストの比較し、稼働コストが最も低いものを優先作動させる熱源機とし、他方を補助作動させる熱源機とするものであり、ヒートポンプ式熱源機２の稼働コストは、外気温度に応じた熱効率（成績係数）と時間帯に応じて変化する電気代に基づいて算出され、貯湯式燃焼熱源機３の稼働コストは、熱効率と燃料代に基づいて算出される。
【００３７】
例えば、ヒートポンプ式熱源機２のみを作動させての暖房運転中に、外気温度が変動（外気温度が低下）した場合、熱媒を加熱する熱源が、ヒートポンプ式熱源機２から貯湯式燃焼熱源機３へ切り換えられ、貯湯式燃焼熱源機３のみを作動させての暖房運転中に、外気温度が変動（外気温度が上昇）した場合、貯湯式燃焼熱源機３からヒートポンプ式熱源機２へ切り換えられるものである。
【００３８】
次に、本実施形態において、ヒートポンプ式熱源機２のみを作動させての暖房運転中に、暖房負荷が増加した場面での熱媒の温度の経時推移について、図２のタイムチャートを用いて説明する。図２では、本実施形態における暖房端末４に供給される熱媒の温度（第１熱媒温度センサ２２で検出される熱媒の温度）の経時推移を実線で示し、比較例（従来例）における暖房端末４へ向かう熱媒の温度（第１熱媒温度センサ２２で検出される熱媒の温度）経時推移を一点鎖線で示し、暖房負荷の経時推移を破線で示している。なお、時間ｔ１はヒートポンプ式熱源機２のみを作動させての暖房運転が行われ、一定の時間が経過した後の安定状態となったときの時間を表すものとする。
【００３９】
時間ｔ１〜ｔ２では、ヒートポンプ式熱源機２のみを作動させての暖房運転が行われており、暖房端末４に供給される熱媒の目標温度が５０℃に設定された状態であり、ヒーポン側制御装置３３は、第２熱媒温度センサ２９で検出される熱媒の温度が目標温度になるように圧縮機５等を制御している。このとき、ヒートポンプ式熱源機２の液冷媒熱交換器７の出口から暖房端末４の流入口までの循環回路２３（第２熱媒配管２５、貯留缶体１９、第３熱媒配管２６）内の熱媒の温度は目標温度（５０℃）と略同じ温度となっている。
【００４０】
そして、時間ｔ２において、暖房端末４の運転台数の増加等により暖房負荷が増加すると、時間ｔ２以降、暖房端末４からヒートポンプ式熱源機２に戻される熱媒の温度は徐々に低下していき、それに伴い、暖房端末４に供給される熱媒の温度も低下する（時間ｔ２以降の実線参照）。
【００４１】
このとき、貯湯式燃焼熱源機３の貯留缶体１９には、目標温度の５０℃の熱媒が貯留されているため、ヒートポンプ式熱源機２から流出した段階で目標温度から温度低下した熱媒が、貯湯式燃焼熱源機３に流入し、貯留缶体１９に流れ込んだとしても、低温の熱媒は貯留缶体１９内で高温（５０℃）の熱媒と撹拌され温度がならされ、暖房端末４に供給される熱媒の温度（第１熱媒温度センサ２２で検出される温度）は多少落ち込むだけで、アンダーシュートの度合いも小さく、早い段階で目標温度に戻すことができる（時間ｔ２以降の実線参照）。
【００４２】
一方、比較例（従来例）では、時間ｔ２において、暖房端末の運転台数の増加等により暖房負荷が増加すると、本実施形態と同様に、時間ｔ２以降、暖房端末からヒートポンプ式熱源機に戻される熱媒の温度は徐々に低下していき、それに伴い、暖房端末に供給される熱媒の温度も低下していく（時間ｔ２以降の一点鎖線参照）。
【００４３】
しかし、比較例（従来例）では、燃焼熱源機として瞬間式の燃焼熱源機が用いられ、熱媒を一定量貯留できるような貯留缶体はないため、ヒートポンプ式熱源機の液冷媒熱交換器から送出された熱媒は瞬間式の燃焼熱源機の熱交換器に流入しても、ただ単に通過するだけとなり、熱媒の温度低下をほとんど抑制できず、暖房端末に供給される熱媒の温度が目標温度から大きくアンダーシュートしてしまう（時間ｔ２以降の一点鎖線参照）。そうすると、熱媒の温度が目標温度に上昇するまでに時間がかかり（時間ｔ２以降の一点鎖線参照）、使用感が損なわれてしまう。また、アンダーシュートの度合いが大きい場合、ヒートポンプ式熱源機のみを作動させての暖房運転からヒートポンプ式熱源機と瞬間式燃焼熱源機の双方を作動させての暖房運転となってしまって、ランニングコストの増大を招くおそれもある。
【００４４】
以上説明したように、貯湯式燃焼熱源機３が、循環回路２３を循環する熱媒の流れに対してヒートポンプ式熱源機２の下流側に配設されていることで、仮に、ヒートポンプ式熱源機２のみを作動させての暖房運転が行われているときに、暖房端末４の運転台数が増加する等、急な暖房負荷の増加があっても、それまでヒートポンプ式熱源機２で加熱された熱媒が貯湯式燃焼熱源機３の貯留缶体１９に貯留されているため、暖房負荷の増加に起因して発生する低温の熱媒が貯留缶体１９に流入しても貯留缶体１９内で撹拌されて熱媒の温度低下が抑えられ、暖房端末４に供給される熱媒の温度のアンダーシュートを抑制でき、使用感を損ねずに快適な暖房を継続することができる。さらに、暖房端末４に供給される熱媒の温度のアンダーシュートが抑制できるので、双方の熱源機が作動しての暖房運転も行われずランニングコストの増大を招くこともないものである。
【００４５】
また、上記の暖房負荷が増加した場合の他にも、貯湯式燃焼熱源機３のみを作動させての暖房運転の途中で、外気温度の上昇等により、優先作動させる熱源機をヒートポンプ式熱源機２に切り換えて、ヒートポンプ式熱源機２のみを作動させての暖房運転に切り換えた直後にも、熱媒の温度が低下する状況が発生する。それを図３のタイムチャートを用いて説明する。図３では、本実施形態における暖房端末４に供給される熱媒の温度（第１熱媒温度センサ２２で検出される熱媒の温度）の経時推移、および、本実施形態におけるヒートポンプ式熱源機２、貯湯式燃焼熱源機３の作動の経時推移を実線で示し、比較例（従来例）における暖房端末４へ向かう熱媒の温度（第１熱媒温度センサ２２で検出される熱媒の温度）経時推移、および、比較例におけるヒートポンプ式熱源機、瞬間式燃焼熱源機の作動の経時推移を一点鎖線で示している。なお、時間ｔ３は、本実施形態では貯湯式燃焼熱源機３のみ、比較例では瞬間式燃焼熱源機のみを作動させての暖房運転が行われ、一定の時間が経過した後の安定状態となったときの時間を表すものとする。
【００４６】
時間ｔ３〜ｔ４では、貯湯式式熱源機３のみを作動させての暖房運転が行われており、暖房端末４に供給される熱媒の目標温度が５０℃に設定された状態であり、燃焼側制御装置３４は、第１熱媒温度センサ２２で検出される熱媒の温度が目標温度になるようにバーナ１５等を制御している。
【００４７】
そして、時間ｔ４において、外気温度センサ１３の検出する外気温度が上昇し、優先して作動させる熱源機を決定するための判定により、ヒートポンプ式熱源機２が優先熱源機と判定され、貯湯式燃焼熱源機３を作動状態から停止状態とすると共に、ヒートポンプ式熱源機２を停止状態から作動状態とすると（時間ｔ４の熱源機の実線参照）、時間ｔ４以降、暖房端末４に供給される熱媒の温度が低下する（時間ｔ４以降の熱媒温度の実線参照）。これは、ヒートポンプ式熱源機２の運転の立ち上がり時に熱媒の温度を目標温度まで上昇させるのに必要な出力が出るまでに時間がかかるからである。
【００４８】
このとき、貯湯式燃焼熱源機３は直前まで作動していたことから、貯留缶体１９には、目標温度の５０℃の熱媒が貯留されていると共に、バーナ１５、燃焼室２０、煙管２１の燃焼の余熱もあり、ヒートポンプ式熱源機２から流出した目標温度から温度低下した熱媒が、貯湯式燃焼熱源機３に流入し、貯留缶体１９に流れ込んだとしても、低温の熱媒は貯留缶体１９内で高温（５０℃）の熱媒と撹拌され温度がならされ、暖房端末４に供給される熱媒の温度（第１熱媒温度センサ２２で検出される温度）は多少落ち込むだけで、アンダーシュートの度合いも小さく、早い段階で目標温度に戻すことができる（時間ｔ４以降の熱媒温度の実線参照）。
【００４９】
一方、比較例（従来例）では、時間ｔ４において、外気温度センサの検出する外気温度が上昇し、優先して作動させる熱源機を決定するための判定により、ヒートポンプ式熱源機が優先熱源機と判定され、瞬間式燃焼熱源機を作動状態から停止状態とすると共に、ヒートポンプ式熱源機を停止状態から作動状態とすると（時間ｔ４の熱源機の一点鎖線参照）、本実施形態と同様に、時間ｔ４以降、暖房端末に供給される熱媒の温度が低下していく（時間ｔ４以降の熱媒温度の一点鎖線参照）。
【００５０】
しかし、比較例（従来例）では、燃焼熱源機として瞬間式の燃焼熱源機が用いられ、熱媒を一定量貯留できるような貯留缶体はなく、保有熱量（バーナ等の余熱含む）も小さいため、ヒートポンプ式熱源機の液冷媒熱交換器から送出された熱媒は瞬間式燃焼熱源機の熱交換器に流入しても、ただ単に通過するだけとなり、熱媒の温度低下をほとんど抑制できず、暖房端末に供給される熱媒の温度が目標温度から大きくアンダーシュートしてしまう（時間ｔ４以降の熱媒温度の一点鎖線参照）。そうすると、熱媒の温度が目標温度に上昇するまでに時間がかかり（時間ｔ４以降の熱媒温度の一点鎖線参照）、使用感が損なわれてしまう。また、アンダーシュートの度合いが大きい場合、ヒートポンプ式熱源機のみを作動させての暖房運転からヒートポンプ式熱源機と瞬間式の燃焼熱源機の双方を作動させての暖房運転となってしまって、ランニングコストの増大を招くおそれもある。
【００５１】
以上説明したように、貯湯式燃焼熱源機３が、循環回路２３を循環する熱媒の流れに対してヒートポンプ式熱源機２の下流側に配設されていることで、仮に、貯湯式燃焼熱源機３のみを作動させての暖房運転が行われているときに、ヒートポンプ式熱源機２へと優先熱源機が切り換わったとしても、それまで貯湯式燃焼熱源機３で加熱された熱媒が貯留缶体１９に貯留されていると共に、バーナ１５等の余熱もあるため、ヒートポンプ式熱源機２の立ち上がり時に目標温度の熱媒が生成できず、低温の熱媒が貯留缶体１９に流入したとしても貯留缶体１９内で撹拌されて熱媒の温度低下が抑えられ、暖房端末４に供給される熱媒の温度のアンダーシュートを抑制でき、使用感を損ねずに快適な暖房を継続することができる。さらに、暖房端末４に供給される熱媒の温度のアンダーシュートが抑制できるので、双方の熱源機が作動しての暖房運転も行われずランニングコストの増大を招くこともないものである。
【００５２】
なお、本発明は一実施形態に限定されるものではなく、本実施形態では、貯湯式燃焼熱源機３は暖房用途にのみ使用するものとしたが、貯留缶体１９内の熱媒と給水とを熱交換する給湯用熱交換器、または、貯留缶体１９内の熱媒と浴槽水とを熱交換する風呂用熱交換器を貯留缶体１９内に設け、貯湯式燃焼熱源機３を暖房用途に加え給湯用途や風呂用途に使用することができるものとしてもよいものである。
【００５３】
また、本実施形態では、ヒーポン側制御装置３３が主にヒートポンプ式熱源機２を制御し、燃焼側制御装置３４が主に貯湯式燃焼熱源機３を制御するものとしたが、ヒーポン側制御装置３３および燃焼側制御装置３４を１つの制御装置として、ヒートポンプ式熱源機２および貯湯式燃焼熱源機３の双方を制御するようにしてもよいものである。
【符号の説明】
【００５４】
１  暖房システム
２  ヒートポンプ式熱源機
３  貯湯式燃焼熱源機
４  暖房端末
１５  バーナ
１９  貯留缶体
２３  循環回路
【図１】
2020134089.tif 000003
【図２】
2020134089.tif 000004
【図３】
2020134089.tif 000005